(57)【要約】【課題】指紋登録、アプリケーションのログイン方法の設定、及び該アプリケーションソフトにログインするシステムと方法の提供。【解決手段】指紋登録の段階において、このシステムは指紋信号を受信し、並びにその設定は、複数個の手の指に関するデータの中の１個に対応する。ログイン方法の設定段階において、このシステムは本人一致、パスワード及びアプリケーションを実行するコマンドを具備するログイン信号を検知し、指紋に関するデータの表示を指示し、手の指に関するデータの中の１個に対応する選択情報を受信し、アプリケーション、本人一致、パスワードが指紋に関するデータと対応するよう設定する。ログイン段階において、このシステムは指紋信号を受信し、指紋信号と相関するアプリケーション、本人一致及びパスワードを検出し、本人一致、パスワード、及びアプリケーションを実行するコマンドを具備する起動信号を生成する。【選択図】図５
2008305382.tif 000002
【特許請求の範囲】
【請求項１】
アカウント、パスワード及びアプリケーションソフトを実行するコマンドを具備するログイン信号を検知する信号検知モジュールと、
前記ログイン信号に応じて、複数個の指紋に関するデータの表示を指示する指示信号を生成する生成モジュールと、
前記複数個の指紋に関するデータの中の１個に対応する選択情報を受信する第１受信モジュールと、
前記アプリケーションソフト、前記アカウント、前記パスワードを、前記選択情報が対応する前記指紋に関するデータに対応させるよう設定する設定モジュールとからなる、アプリケーションソフトのログイン方法を設定するシステム。
【請求項２】
更に、前記指示信号に応じて、前記複数個の指紋に関するデータを表示するディスプレイ装置を具備する、請求項１に記載のシステム。
【請求項３】
更に、指紋信号に対応する前記選択情報が対応する前記指紋に関するデータの判断のための判断モジュールを具備する、請求項１に記載のシステム。
【請求項４】
更に、指紋信号に対応しない前記選択情報が対応する前記指紋に関するデータを判断する判断モジュールと、
前記指紋信号を受信する第２受信モジュールとからなり、
前記設定モジュールにより更に、前記指紋信号を前記選択情報が対応する前記指紋に関するデータに対応させるよう設定する、請求項１に記載のシステム。
【請求項５】
更に、前記指紋信号を検知する指紋検知モジュールを具備する、請求項４に記載のシステム。
【請求項６】
指紋信号を受信する受信モジュールと、
前記指紋信号と相関するアプリケーションソフト、アカウント、及びパスワードを検出する検出モジュールと、
前記アカウントと前記パスワードを利用して前記アプリケーションソフトを実行するコマンドを具備する起動信号を生成する生成モジュールとからなる、アプリケーションソフトのログインシステム。
【請求項７】
更に、ユーザーの指紋を検知し、前記指紋信号を獲得する指紋検知モジュールを具備する、請求項６に記載のシステム。
【請求項８】
トリガー信号を検知するトリガー検知モジュール、
前記トリガー信号に応じて、複数個の指紋に関するデータの表示を指示する指示信号を生成する生成モジュール、
前記複数個の指紋に関するデータの中の１個に対応する選択情報を受信する第１受信モジュール、
指紋信号を受信する第２受信モジュール、
前記指紋信号を前記選択情報が対応する前記指紋に関するデータに対応させるよう設定する設定モジュールからなる、アプリケーションソフトのログイン方法の設定システムに適用される指紋登録システム。
【請求項９】
更に、前記指示信号に応じて、前記複数個の指紋に関するデータを表示するディスプレイ装置を具備する、請求項８に記載の指紋登録システム。
【請求項１０】
更に、前記指紋信号、前記指紋に関するデータを保存するデータ保存装置を具備し、
その中の前記指紋信号は、前記選択情報が対応する前記指紋に関するデータに対応する、請求項８に記載の指紋登録システム。
【請求項１１】
更に、前記指紋信号を検知する指紋検知モジュールを具備する、請求項８に記載の指紋登録システム。
【請求項１２】
前記トリガー信号は、マウス、キーボード、又は前記指紋検知モジュールから送られる、請求項１１に記載の指紋登録システム。
【請求項１３】
アカウント、パスワード及びアプリケーションソフトを実行するコマンドを具備するログイン信号を検知し、
前記ログイン信号に応じて、複数個の指紋に関するデータの表示を指示する指示信号を生成し、
前記複数個の指紋に関するデータの中の１個に対応する選択情報を受信し、
前記アプリケーションソフト、前記アカウント、前記パスワードを前記選択情報が対応する前記指紋に関するデータに対応させるよう設定するステップからなる、アプリケーションソフトのログイン方法を設定する方法。
【請求項１４】
更に、前記指示信号に応じて、前記複数個の指紋に関するデータを表示するステップを含む、請求項１３に記載の方法。
【請求項１５】
更に、指紋信号に対応する前記選択情報が対応する前記指紋に関するデータの判断のためのステップを含む、請求項１３に記載の方法。
【請求項１６】
更に、指紋信号に対応しない前記選択情報が対応する前記指紋に関するデータを判断し、
前記指紋信号を受信し、
前記指紋信号を前記選択情報が対応する前記指紋に関するデータに対応させるよう設定するステップを含む、請求項１３に記載の方法。
【請求項１７】
更に、前記指紋信号を検知するステップを含む、請求項１６に記載の方法。
【請求項１８】
指紋信号を受信し、
前記指紋信号と相関するアプリケーションソフト、アカウント及びパスワードを検出し、
前記アカウントとパスワードを利用して前記アプリケーションソフトを実行するコマンドを具備する起動信号を生成するステップを含む、アプリケーションソフトのログイン方法。
【請求項１９】
更に、ユーザーの指紋を検知して前記指紋信号を得るステップを含む、請求項１８に記載の方法。
【請求項２０】
トリガー信号を検知し、
前記トリガー信号に応じて、複数個の指紋に関するデータの表示を指示する指示信号を生成し、
前記複数個の指紋に関するデータの中の１個に対応する選択情報を受信し、
指紋信号を受信し、
前記指紋信号を前記選択情報が対応する前記指紋に関するデータに対応させるよう設定するステップを含む、アプリケーションソフトのログイン設定方法において適用される指紋登録方法。
【請求項２１】
更に、前記指示信号に応じて、前記複数個の指紋に関するデータを表示するステップを含む、請求項２０に記載の指紋登録方法。
【請求項２２】
更に、前記指紋信号を保存し、
前記選択情報が対応する前記指紋に関するデータに対応する前記指紋信号を保存する
ステップを含む、請求項２０に記載の指紋登録方法。
【請求項２３】
更に、前記指紋信号を検知するステップを含む、請求項２０に記載の指紋登録方法。
【請求項２４】
前記トリガー信号は、マウス、キーボード、又は前記指紋検知モジュールから送られる、請求項２３に記載の指紋登録方法。
【発明の詳細な説明】
【技術分野】
【０００１】
本出願は２００７年３月１９日に出願された台湾特許出願第０９６１０９３０５号に開示された内容全体を参照して実質的に取り入れ、同出願に基づく優先権を主張する。
【０００２】
（関連出願の相互参照）
該当しない。
【０００３】
本発明は、指紋登録、アプリケーションソフトのログイン方法の設定、及びアプリケーションソフトのログインのためのシステムと方法に関するものである。詳しくは、指紋、指紋によるアプリケーションソフトのログイン設定、及び指紋を利用してアプリケーションソフトへログインするシステムと方法に関するものである。
【背景技術】
【０００４】
近年、生体認証の技術はますます成熟し、例えば指紋の特徴、顔の特徴、虹彩の特徴、静脈の特徴などの生物学的特徴がユーザーを特定するために用いられている。
【０００５】
指紋識別技術の識別率と精度は比較的その他の生物学的特徴の識別技術より優れているため、現在指紋識別の応用方面は比較的広い。指紋識別の技術は、ユーザーの指紋を検知し、指紋画像の中の独特な指紋の特徴を検出し保存する。その後、ユーザーが自分の指紋で機器にアクセスした時、再度指紋の特徴を検出し、以前保存していた指紋の特徴と対比を行う。もし、両者が符合すれば、ユーザーが同一と認定される。
【０００６】
近頃、各種の設備で指紋識別技術を利用してユーザーを特定している。そういったものには、例えばコンピューターのログイン、アクセス制御、身分認証及びデータの安全な暗号化等がある。ユーザーは、指紋識別方式を通しての本人確認を受けた後、初めてこれらの設備及び機能を使用することができる。電子ポータブル機器の目覚ましい発展に伴い、米国特許公開第20050085217号には、指紋識別技術の、電子ポータブル機器における利用について開示されている。それは、人の１０本の手の指の異なる指紋に対応して、電子ポータブル装置上に異なる機能を設定したものである。例を挙げると、ユーザーは親指の指紋をメッセージサービスに対応するよう設定することができる。その後、ユーザーは親指をスキャンするだけで、メッセージサービスを起動することができる。
【発明の開示】
【発明が解決しようとする課題】
【０００７】
通常の指紋識別の応用は、簡単である。つまり、指紋識別の主な機能はユーザーの特定にのみ用いられる。一旦ユーザーが認証されると、ユーザーは必要に応じてアプリケーションソフトにアクセスすることができる。しかし、多くのアプリケーションソフトは複雑であり、これを使用するためにはユーザーはそれぞれのアカウント及びパスワードを記憶する必要がある。よって、如何にして指紋識別とより複雑なログイン方法を必要とするアプリケーションソフトを統合するかが、依然としてこの業界において研究に値する課題である。
【課題を解決するための手段】
【０００８】
本発明の目的の一つは、アプリケーションソフトのログイン方法を設定するシステムの提供である。該システムは、信号検知モジュール、生成モジュール、受信モジュール及び設定モジュールを具備する。前記信号検知モジュールによりログイン信号を検知し、該ログイン信号はアカウント、パスワード及びアプリケーションソフトを実行するコマンドを具備する。前記生成モジュールにより指示信号を生成し、該指示信号は前記ログイン信号に応じて、複数個の指紋に関するデータの表示を指示する。前記受信モジュールにより選択情報を受信し、該選択情報は前記複数個の指紋に関するデータの中の１個に対応する。前記設定モジュールにより前記アプリケーションソフト、前記アカウント、前記パスワードに、前記選択情報が対応する前記指紋に関するデータに適切に対応させるよう設定する。
【０００９】
本発明のもう一つの目的は、アプリケーションソフトのログインシステムの提供である。該システムは、受信モジュール、検出モジュール及び生成モジュールを具備する。前記受信モジュールにより指紋信号を受信する。前記検出モジュールにより、前記指紋信号と相関する前記アプリケーションソフト、アカウント及びパスワードを検出する。前記生成モジュールにより起動信号を生成し、その起動信号は前記アカウントとパスワードを利用して前記アプリケーションソフトを実行するコマンドを具備する。
【００１０】
本発明のもう一つの目的は、指紋登録システムの提供であり、それはアプリケーションソフトのログイン方法の設定のシステムにおいて適用されるものである。前記指紋登録システムは、トリガー検知モジュール、生成モジュール、第１受信モジュール、第２受信モジュール及び設定モジュールを具備する。前記トリガー検知モジュールにより、トリガー信号を検知する。前記生成モジュールにより、トリガー信号に応じて指示信号を生成し、その該指示信号は複数個の指紋に関するデータの表示を指示する。前記第１受信モジュールにより選択情報を受信し、その該選択情報は前記複数個の指紋に関するデータの中の１個に対応する。前記第２受信モジュールにより指紋信号を受信する。前記設定モジュールにより、前記指紋信号を前記選択情報が対応する前記指紋に関するデータに対応させるよう設定する。
【００１１】
本発明のもう一つの目的は、アプリケーションソフトのログイン方法を設定する方法の提供である。該方法は、次のステップを含む。アカウント、パスワード及び前記アプリケーションソフトを実行するコマンドを具備するログイン信号を検知する。ログイン信号に応じて、複数個の指紋に関するデータの表示を指示する指示信号を生成する。前記指紋に関するデータに対応する選択情報を受信する。前記アプリケーションソフト、前記アカウント、前記パスワードを前記選択情報が対応する前記指紋に関するデータを対応させるよう設定する。
【００１２】
本発明のもう一つの目的は、アプリケーションソフトのログイン方法の提供である。該方法は、次のステップを含む。指紋信号を受信する。該指紋信号に関する前記アプリケーションソフト、アカウント及びパスワードを検出する。前記アカウントと前記パスワードを利用して前記アプリケーションソフトを実行するコマンドを具備する起動信号を生成する。
【００１３】
本発明のさらにもう一つの目的は、指紋登録方法の提供であり、それはアプリケーションソフトのログイン設定の方法において適用されるものである。前記指紋登録方法は、次のステップを含む。トリガー信号を検知する。該トリガー信号に応じて、複数個の指紋に関するデータの表示を指示する指示信号を生成する。前記指紋に関するデータに対応する選択情報を受信する。指紋信号を受信する。該指紋信号を前記選択情報が対応する前記指紋に関するデータに対応するよう設定する。
【００１４】
本発明の主題は、ユーザーの指紋を登録するシステムと方法の提供であり、更に既に登録済みの指紋をアプリケーションソフト、アカウントとパスワードに対応するよう設定することである。これによりユーザーは指紋を通して簡単にアプリケーションソフトを起動できる。すなわち、ユーザーはアカウントとパスワードをもはや入力する必要がない。本発明のシステムと方法は、更に、様々なアプリケーションソフトのログインアカウントとパスワードを全て記憶することができないユーザーに、ユーザーフレンドリーな使用環境を提供する。ユーザーは、ただ指紋を装置にスキャンさせるだけでアプリケーションソフトにログインすることが出来る。このように、本発明は、多数のアカウント及びパスワードを覚える必要をなくすことができる。
【００１５】
請求する発明の特徴を当業者が十分理解できるよう、本発明の詳細な技術及び好ましい実施例を、以下に図面を添付して説明する。
【発明を実施するための最良の形態】
【００１６】
本発明の目的は、ユーザーの指紋を登録し、更に既に登録済みの指紋をアプリケーションソフト及びそのログインアカウントとパスワードに対応するよう設定するシステムと方法の提供であり、ユーザーが前記指紋を通して前記アプリケーションソフトを起動できるようにする。本発明は、指紋登録段階、アプリケーションソフトと指紋を設定する段階、及び指紋ログイン段階の３段階に分けることができる。この３段階は、別々に異なるシステムに基づいて実施することができ、また統合して単一システムとして実行もできる。
【００１７】
図１は本発明の第一実施例を示したもので、３つの主要段階を統合したシステム１である。このシステム１は、トリガー検知モジュール１１１、第１生成モジュール１１２、第２生成モジュール１２２、第１受信モジュール１１３、第２受信モジュール１１４、設定モジュール１１５、ディスプレイ装置１１６、データ保存装置１１７、指紋検知モジュール１１８、信号検知モジュール１１９、判断モジュール１２０、検出モジュール１２１及びキーボード１２３を具備する。
【００１８】
まず、このシステム１の指紋登録の段階を説明する。システム１の起動後、トリガー検知モジュール１１１は、監視測定及び検知の状態になっており、トリガー信号の有無を監視測定及び検知する。第一実施例において、トリガー検知モジュール１１１は、キーボード１２３から送られるトリガー信号を検知し、このトリガー信号は、ユーザーがキーボード１２３上のファンクションキーを押すことにより生成する。その他の実施例において、ユーザーはその他の方式でトリガー信号を生成することができる。例えば、キーボード１２３のホットキーを押す、キーボード１２３のキーを組み合わせて押す、マウスをクリックする、指紋検知モジュール１１８に指をのせるなどである。
【００１９】
トリガー検知モジュール１１１がトリガー信号を検出後、第１生成モジュール１１２は第１指示信号を生成し、それによりディスプレイ装置１１６に図２Ａに示す如く複数個の指紋に関するデータ２の表示を指示する。具体的に言うと、これらの指紋に関するデータ２は、左親指に関するデータ２１１、左人差し指に関するデータ２１２、左中指に関するデータ２１３、左薬指に関するデータ２１４、左小指に関するデータ２１５、右親指に関するデータ２２１、右人差し指に関するデータ２２２、右中指に関するデータ２２３、右薬指に関するデータ２２４及び右小指に関するデータ２２５である。各々の手の指に関するデータは、手の指に対応する指紋、アプリケーションソフト、アカウント、パスワード等である。図２Ａの如く、第一実施例の現段階の設定は、左人差し指に関するデータ２１２、左中指に関するデータ２１３、左薬指に関するデータ２１４、左小指に関するデータ２１５、右親指に関するデータ２２１及び右人差し指に関するデータ２２２は、まだ登録されておらず、ユーザーは対応する四角の枠内の禁止マークによりそれを知ることができ、同時に右親指に関するデータ２１１、右中指に関するデータ２２３、右薬指に関するデータ２２４及び右小指に関するデータ２２５は既に指紋登録されており、ユーザーは対応する四角の枠内の同心円マークによりそれを知ることができる。言及しておくが、ここでの表示記号は例を挙げて説明するためだけであり、本発明の範囲を制限するものではない。つまり、その他の方法（文字、画像、動画、ムービー等）で四角枠内の禁止マークや同心円に置き換えうる。
【００２０】
この時、ユーザーはキーボード１２３を通して選びたい指紋に関するデータを選択することができる。それを右人差し指に関するデータ２２２と仮定する。ユーザーは選びたい指紋に関するデータを、例えばマウスなど、その他の入力装置を通してからも選ぶことができる。第１受信モジュール１１３は、ユーザーの選択に応じて第１選択情報を受信し、この第１選択情報は右人差し指に関するデータ２２２と対応するとみなされる。この時、第１生成モジュール１１２は、第１受信モジュール１１３が受信した第１選択情報に応じて、第２指示信号を生成し、これによりディスプレイ装置１１６に、ユーザーへ指紋入力を要求する情報の表示を指示する。次に、ユーザーは指紋検知モジュール１１８を通して右人差し指の指紋信号を入力し、第２受信モジュール１１４はこの右人差し指の指紋信号を受信する。次に、設定モジュール１１５は、この右人差し指の指紋信号が右人差し指に関するデータ２２２と対応するよう設定する。ディスプレイ装置１１６は設定モジュール１１５の設定に応じて、右人差し指に関するデータ２２２に同心円を表示し、図２Ｂの如く、右人差し指の指紋はすでにシステム１に登録されたことを表示する。データ保存装置１１７は、この右人差し指の指紋信号を保存し、この右人差し指の指紋信号と右人差し指に関するデータ２２２の対応関係を保存する。
【００２１】
右人差し指の指紋信号が登録された後、ユーザーは引き続きその他の指の指紋を登録することができ、あるいは指紋登録を終了することもできる。システム１の指紋登録機能を通してユーザーは指紋データベースを構築することができる。この指紋データベースは、このシステム１の使用、あるいはその他必要な指紋信号のシステム使用のために提供されうる。
【００２２】
次に、このシステム１がどのようにアプリケーションソフトのログイン方法を設定するか説明する。このアプリケーションソフトは、アカウント及びパスワードを必要とするソフトであって、例えばＭＳＮ、Ｔｅｌｎｅｔシステム又はヤフーメールサービスのようなものである。つまり、本明細書のいわゆるアプリケーションソフトとは、ユーザーのログインにアカウント及びパスワードの入力を必要とするソフト、アプリケーションプログラム、システムプログラム、Ｔｅｌｎｅｔシステム等である。例として以下の記載では、ＭＳＮをアプリケーションソフトとして使用する。
【００２３】
同様に、このシステム１の起動後、信号検知モジュール１１９は監視測定及び検知状態に入っており、アカウント、パスワード及びこのアプリケーションソフト実行のコマンドを具備するログイン信号の有無を監視測定及び検知する。詳しく言うと、ユーザーがこのアプリケーションソフト（即ちＭＳＮ）を使用したい場合、キーボード１２３のような入力装置を通してこのアプリケーションソフトを開始することができる。すなわちアカウントとパスワードを入力し、送信ボタンを押す。送信ボタンを押した後に生成された信号は、ログイン信号である。
【００２４】
信号検知モジュール１１９がこのログイン信号を検知した後、第１生成モジュール１１２は再度第１指示信号を生成し、それにより図２Ｂの如く前述の指紋に関するデータを表示させる。この時、ユーザーは（入力装置を通して）このアプリケーションソフトに対応させたい指紋に関するデータの１つを選択することができる。ユーザーの選択に応じて、第１受信モジュール１１３は第２選択情報を受信する。この選択には、２種類の異なる状況があり後にそれぞれ詳しく説明する。
【００２５】
ユーザーの選択が左親指に関するデータ２１１であると仮定すると、第１受信モジュール１１３が受信する第２選択情報は、左親指に関するデータ２１１に対応する。次に、設定モジュール１１５はアプリケーションソフト、アカウント、パスワードを、第２選択情報が対応する左親指に関するデータ２１１に対応させるよう設定する。更に詳しく説明すると、判断モジュール１２０は、この第２選択情報に左親指に関するデータ２１１が対応することを判断する。左親指に関するデータ２１１は既に対応する指紋信号を有するため、設定モジュール１１５は、左親指に関するデータ２１１に対応するアプリケーションソフト、アカウント、パスワードを直接設定する。
【００２６】
一方、ユーザーの選択が左小指に関するデータ２１５であると仮定すると、すなわち第２選択情報は左小指に関するデータ２１５と対応する。第１受信モジュール１１３がこの第２選択情報を受信後、判断モジュール１２０は、左小指に関するデータ２１５は指紋信号に対応していないと判断する、すなわち、データ保存装置１１７はまだ左小指の指紋信号を保存していないことを意味する。この時、第１生成モジュール１１２は、第２指示信号を生成し、それによりユーザーへ指紋入力を要求する情報を表示する。次に、ユーザーは指紋検知モジュール１１８を通して左小指の指紋を入力し、第２受信モジュール１１４に左小指の指紋信号を受信させる。そうして設定モジュール１１５は左小指の指紋信号を左小指に関するデータ２１５に対応させるよう設定する。設定モジュール１１５は、アプリケーションソフト、アカウント、パスワードが、この第２選択情報が対応する左小指に関するデータ２１５に対応するよう設定できる。
【００２７】
第一実施例において、ユーザーは左親指に関するデータ２１１を選択しているため、設定モジュール１１５の設定後、次回ディスプレイ装置１１６が指紋に関するデータを表示する時には、図２Ｃの如く左親指に関するデータ２１１は、Ｍ字が表示される。それにより左親指に関するデータ及び左親指の指紋信号がＭＳＮ及び対応するアカウント及びパスワードに対応することが表示される。
【００２８】
最後に、このシステムはどのようにしてＭＳＮのようなアプリケーションソフトにユーザーがログインするか説明する。ユーザーがＭＳＮを使用したい時は、左親指で指紋検知モジュール１１８を押す。この時、第２受信モジュール１１４は、左親指の指紋信号を受信する。検出モジュール１２１は、左親指の指紋信号と相関するアプリケーションソフト（この例ではＭＳＮ）、アカウント及びパスワードを検出する。第２生成モジュール１２２は、検出されたアカウント及びパスワードに基づいて起動信号を生成し、この起動信号はこのアカウント及びこのパスワードを利用してＭＳＮを実行するコマンドを具備する。
【００２９】
上述の措置により、ユーザーはあらかじめ先に指紋を登録しておき、それから指紋と異なるアプリケーションソフトのリンクを設定する。その後、ユーザーがアプリケーションソフトを実行したい時には、指紋検知モジュール１１８に指をのせるだけでよく、もうアプリケーションソフトのアカウントとパスワードを記憶する必要はない。上述のシステム１の指紋登録、アプリケーションソフトのログイン方法の設定、及びアプリケーションソフトのログインは、３つの異なるシステムにおいても実施できる。つまり、１つの指紋登録システム、１つのアプリケーションソフトのログイン方法設定のシステム、及び１つのアプリケーションソフトのログインシステムとすることができる。これら３つは、互いに組み合わせる又はその他のシステムと統合して多くの用途に供することができる。
【００３０】
図３は本発明の第二実施例を示しており、それは指紋登録方法のフロー図である。この方法はアプリケーションソフトのログイン方法の設定において適用される。まず、ステップ３０１でトリガー信号を検知する。次にステップ３０２で、トリガー信号に応じて、複数個の手の指に関するデータの表示を指示する指示信号を生成する。ステップ３０３で、この指示信号に応じて、前記各々の手の指に関するデータを表示する。
【００３１】
その後、ステップ３０４で、前記各々の手の指に関するデータの中の１個に対応する選択情報を受信する。次に、ステップ３０５で指紋信号を検知し、ステップ３０６で指紋信号を受信する。その後、ステップ３０７で、この指紋信号を選択情報が対応する指紋に関するデータに対応させるよう設定する。次にステップ３０８及び３０９でそれぞれこの指紋信号を保存し、この指紋信号が指紋に関するデータに対応することを保存する。
【００３２】
前述のステップにより、指紋データベースを構築することができる。図３に示したステップ以外、第二実施例は更に第一実施例の全ての指紋登録の機能及び操作を実行することができる。当業者は、第一実施例の指紋登録に基づき、第二実施例がいかにこれらの操作及び機能を実行するか理解することができる。
【００３３】
図４が示すのは本発明の第三実施例であり、アプリケーションソフトのログイン方法を設定する方法のフロー図である。まず、ステップ４０１で、アカウント、パスワード及びアプリケーションソフト実行のコマンドを具備するログイン信号を検知する。次に、ステップ４０２で、ログイン信号に応じて、複数個の指紋に関するデータの表示を指示する指示信号を生成する。ステップ４０３で、この指示信号に応じて複数個の指紋に関するデータを表示する。
【００３４】
次にステップ４０４で、手の指に関するデータの中の１個と対応する選択情報を受信する。ステップ４０５で、この選択情報が対応する指紋に関するデータが、指紋信号に対応するか否かを判断する。もしステップ４０５の判断結果が否の場合、ステップ４０６でこの指紋信号を検知し、それに従いステップ４０７でこの指紋信号を受信する。その後、ステップ４０８でこの指紋信号を、選択情報が対応する指紋に関するデータに対応させるよう設定する。最後に、ステップ４０９を実行して、アプリケーションソフト、アカウント、パスワードを、選択情報が対応する指紋に関するデータに対応するよう設定する。もし、ステップ４０５の判断結果が対応するの場合、ステップ４０６及び４０７はスキップされ、直接ステップ４０８及び４０９が実行される。
【００３５】
上述のステップにより、第三実施例はアプリケーションソフト及び指紋に関するデータの間においてリンクを構築することができる。図４のフロー図のステップ以外に、第三実施例は更に第一実施例のアプリケーションソフトのログイン方法の設定に関する全ての機能及び操作を実施することができる。当業者であれば、上述の第一実施例に基づき、第三実施例がいかにこれらの操作及び機能を実行するか理解することができる。
【００３６】
図５が示すのは本発明の第四実施例であり、アプリケーションソフトのログイン方法のフロー図である。まず、ステップ５０１でユーザーの指紋信号を検知する。次に、ステップ５０２でこの指紋信号を受信する。ステップ５０３で、この指紋信号に対応するアプリケーションソフト、アカウント及びパスワードを検出する。その後、ステップ５０４で、検出したアカウント及びパスワードを利用してアプリケーションソフトを実行する起動信号を生成する。
【００３７】
上述のステップにより、ユーザーがすでに登録済みで且つアプリケーションソフトとリンクを構築した指紋を機器にのせた後、アプリケーションソフトはアカウント及びパスワードを具備した起動信号により自動的に起動する。ユーザーはもうアカウントとパスワードを記憶する必要はない。図５に示されたステップ以外に、第四実施例は更に第一実施例のアプリケーションソフトログインの全ての機能及び操作を実行することができる。当業者は、上述の第一実施例に基づき、第四実施例がいかにこれらの操作及び機能を実行するか理解することができる。
【００３８】
上述で述べたように、本発明のシステム及び方法により、ユーザーはあらかじめ指紋を登録できる。その後、使用者がアプリケーションソフトにログインしたい時に、本発明はログイン信号を検出し、ユーザーにアプリケーションソフトと指紋に関するデータにリンクを構築するか否かを問い合わせる。もし、ユーザーがアプリケーションソフトと指紋にリンクを構築する、を選択した場合、その後ユーザーは指紋を押すだけでアプリケーションソフトにログインすることができ、アカウント及びパスワードを記憶する必要はない。よって、本発明のシステムと方法を組み合わせた装置は、ユーザーに対しフレンドリーな環境を提供する。
【００３９】
本発明はまた、前述のステップを実行するための、コンピュータープログラムを保存するためのコンピューターで読取り可能な媒体にも利用することができる。このコンピューターで読取り可能な媒体は、フロッピーディスク、ハードディスク、光ディスク、フラッシュディスク、テープ、ネットによりアクセスできるデータベース又は当業者であれば容易に考えうる、同じ機能を具備する保存媒体でもよい。
【００４０】
上述の記述は、詳細な技術内容と発明の特徴に関するものである。当業者であれば、本発明の技術的特徴から逸脱することなく、記載された本発明の内容及び示唆に基づき各種の変更、改変をすることができるであろう。それらの変更、改変が全て記載されていないとしても、それらは実質的に本発明の主張する範囲に属している。
【図面の簡単な説明】
【００４１】
【図１】本発明の第一実施例を示した概略図
【図２Ａ】複数個の手の指に関するデータを示した概略図
【図２Ｂ】手の指に関するデータを示した概略図
【図２Ｃ】手の指に関するデータを示した概略図
【図３】本発明の第二実施例のフロー図
【図４】本発明の第三実施例のフロー図
【図５】本発明の第四実施例のフロー図
【図１】
2008305382.tif 000003
【図２Ａ】
2008305382.tif 000004
【図２Ｂ】
2008305382.tif 000005
【図２Ｃ】
2008305382.tif 000006
【図３】
2008305382.tif 000007
【図４】
2008305382.tif 000008
【図５】
2008305382.tif 000009
【外国語明細書】
2008305382.tif 000010
2008305382.tif 000011
2008305382.tif 000012
2008305382.tif 000013
2008305382.tif 000014
2008305382.tif 000015
2008305382.tif 000016
2008305382.tif 000017
2008305382.tif 000018
2008305382.tif 000019
2008305382.tif 000020
2008305382.tif 000021
2008305382.tif 000022
2008305382.tif 000023
2008305382.tif 000024
2008305382.tif 000025
2008305382.tif 000026
2008305382.tif 000027
2008305382.tif 000028
2008305382.tif 000029
2008305382.tif 000030
2008305382.tif 000031
2008305382.tif 000032
2008305382.tif 000033
2008305382.tif 000034
2008305382.tif 000035
2008305382.tif 000036
2008305382.tif 000037
2008305382.tif 000038
2008305382.tif 000039